(57)【特許請求の範囲】
【請求項１】
アルミ箔と合成樹脂製フィルムを含む積層構造、又はエラストマーシートとアルミ箔を含む積層構造の少なくとも一方を有する多層防水シートであって、
前記多層防水シートの長手方向と直交する横手方向にわたって設けられた横手方向折返し重合せ部と、
前記多層防水シートの換気シート貼付部よりも棟木当接部側に形成された防水シート開口部と、
を有する前記多層防水シートと、
前記多層防水シートの防水シート開口部と換気できる状態で、前記多層防水シートの長手方向に沿って両端部が取り付けられた換気シートであって、前記換気シートの多層防水シート取付部と棟木側当接部との間に設けられた換気シート開口部とを有する前記換気シートと、
を備えることを特徴とする開口部を有する棟支持材。
【請求項２】
請求項１に記載の多層防水シートにおいて、
前記合成樹脂製フィルムは、熱収縮性を有し、前記合成樹脂製フィルムが前記アルミ箔の一方の面側に積層されていると共に、
前記多層防水シートの長手方向に沿って設けられると共に、前記多層防水シートの換気シート貼付部と屋根材取付部との間に設けられた長手方向折返し重合せ部を有する、
ことを特徴とする請求項１に記載の開口部を有する棟支持材。
【請求項３】
請求項１に記載の多層防水シートにおいて、
前記エラストマーシートは、耐引き裂き性と熱収縮性を有し、前記エラストマーシートが前記アルミ箔の一方の面側に積層されていると共に、
前記多層防水シートの長手方向に沿って設けられると共に、前記多層防水シートの換気シート貼付部と屋根材取付部との間に設けられた長手方向折返し重合せ部を有する、
ことを特徴とする請求項１に記載の開口部を有する棟支持材。
【請求項４】
請求項２又は３に記載の多層防水シートにおいて、前記アルミ箔の他方の面側には樹脂系塗料がコーティングされていることを特徴とする請求項２又は３に記載の開口部を有する棟支持材。
【請求項５】
前記多層防水シートの防水シート開口部と前記換気シートの換気シート開口部とが換気できる状態は、前記防水シート開口部と前記換気シート開口部における小さいほうの開口面積の天井面積に対する割合が１／１６００以上であることを特徴とする請求項１乃至４の何れか１項に記載の開口部を有する棟支持材。
【請求項６】
請求項１乃至５の何れか１項に記載の開口部を有する棟支持材において、
前記換気シートは、
棟木側当接部を有する換気シート本体部と、
当該換気シート本体部に設けられた多層防水シート取付部と、
前記換気シート本体部と前記多層防水シート取付部との間に設けられる棟瓦側開口設置部であって、前記換気シート開口部としての棟瓦側開口部を有する前記棟瓦側開口設置部と、
を有することを特徴とする開口部を有する棟支持材。
【請求項７】
請求項６に記載の換気シートにおいて、
前記棟瓦側開口部を有する棟瓦側開口設置部に加えて、さらに、中間開口部を有する中間開口設置部を、前記換気シート本体部と前記多層防水シート取付部との間に有することを特徴とする開口部を有する棟支持材。
【請求項８】
前記換気シートは、さらに、前記換気シート本体部の棟木と当接する部位が、長手方向に前記多層防水シートと固定されていることを特徴とする請求項６又は７に記載の開口部を有する棟支持材。
【請求項９】
請求項６乃至８の何れか１項に記載の開口部を有する棟支持材において、当該開口部を有する棟支持材が棟木に装着された状態では、前記換気シートにおける棟木と当接するシート固定部位と前記多層防水シート取付部との間隔は、前記多層防水シートにおける棟木当接防水シート部と換気シート取付部との間隔と大略同じ程度に構成されていることを特徴とする開口部を有する棟支持材。
【請求項１０】
前記換気シートは、前記換気シート本体部と前記棟瓦側開口設置部との間に換気シート折曲部が設けられていることを特徴とする請求項９に記載の開口部を有する棟支持材。
【請求項１１】
前記多層防水シートと前記換気シートとが当接した状態では、前記換気シートが前記換気シート折曲部で折畳まれた状態であり、前記換気シートが前記多層防水シートに対して展開した状態では、前記換気シートが前記換気シート折曲部で展開された状態であることを特徴とする請求項１０に記載の開口部を有する棟支持材。
【請求項１２】
請求項１乃至１１の何れか１項に記載の横手方向折返し重合せ部が設けられた開口部を有する棟支持材の使用方法であって、
前記多層防水シートの棟木当接部を棟木支持具に載置された棟木の頂面に載置する工程と、
前記多層防水シートの裾部を、前記棟木と接触する換気シートを起点に押し下げて、前記多層防水シートの防水シート開口部と前記換気シートの換気シート開口部とが換気できる状態に、前記換気シートの換気シート開口部を展開させる工程と、
前記多層防水シートの裾部を屋根材に取り付ける工程と、
を備えることを特徴とする開口部を有する棟支持材の使用方法。
【請求項１３】
請求項２乃至１１の何れか１項に記載の横手方向折返し重合せ部と長手方向折返し重合せ部が設けられた開口部を有する棟支持材の使用方法であって、
前記多層防水シートの棟木当接部を棟木支持具に載置された棟木の頂面に載置する工程と、
前記多層防水シートの裾部を、前記棟木と接触する換気シートを起点に押し下げて、前記多層防水シートの防水シート開口部と前記換気シートの換気シート開口部とが換気できる状態に、前記換気シートの換気シート開口部を展開させる工程と、
前記多層防水シートの裾部を屋根材に取り付けて、前記長手方向折返し重合せ部が展開される工程と、
を備えることを特徴とする開口部を有する棟支持材の使用方法。
【発明の詳細な説明】
【技術分野】
【０００１】
本発明は、建造物の屋根に用いて好適な開口部を有する棟支持材に関し、特に棟換気機能と棟支持材の保形機能が設けられた開口部を有する棟支持材およびその使用方法に関する。
【背景技術】
【０００２】
従来から、木造一戸建て住宅や土蔵等の木造建築物においては、切妻屋根が広く用いられている。切妻屋根は、屋根の最頂部の棟から地面に向かい、２つの傾斜面が山形の形状をした屋根である。建築物の平面形状が四角形の場合、切妻屋根を用いると２面だけで屋根が構成されるため、建築コストが安く済むと共に、雨漏りの心配が少ない利点がある。また、切妻屋根は、屋根の上に雪が積もりにくいため、豪雪地帯では、雪の重量による家屋の倒壊の危険が小さいという利点も有する。
【０００３】
ところで、従来の木造プレハブ住宅では、気密性が高められると共に空調設備の高度化が図られている。そして、寄棟屋根は、切妻屋根と比較して屋根勾配が抑えられるので、隣接地との日影規制を考慮する必要性が高い市街化地域で広く用いられている。しかし、切妻屋根と比較して相対的に換気機能が不足しやすい寄棟屋根においては、野地板等の小屋組に結露が発生しやすくなっていた。そこで、野地板に合板を用いている場合には、この結露によって寄棟屋根の野地板の張替工事が必要となる場合があり、建造物の財産的価値が大きく損なわれる状況が生まれていた。そこで、住宅金融を担当する金融機関では、融資期間中の被担保物件である建造物の財産的価値を保持する必要のあることから、換気機能を高めて、野地板の結露発生を防止して、３５年以上の期間に渡って担保価値を保持することが必要になってきている。
【０００４】
他方で、本出願人は、棟用の屋根用防水シートとして、日本の在来型建築物に適合した棟用防水シートを提案している（特許文献１、２参照）。日本の在来型建築物は注文主の個性が出現しやすい類型であり、また地域の特性に応じた建築物類型が存在すると共に、建築物においては敷地形状と建築基準法や都市計画法による建築規制があり、現実に建築される木造建築物は多様な個性を有しているのが実情である。そこで、屋根形状も区々となり、設置時に作業者が現場の棟包の内側に納まるよう、防水シートの折り曲げ作業が必要である。また、強風を伴う雨が直接防水シートに当たる可能性があるため、防水シートに設けられた切込みや開口部の形状を工夫して、建築物の屋根の内側に浸水する蓋然性を最小化している。
【０００５】
このような、本出願人の提案にかかる棟用防水シートによれば、様々な意匠の屋根材や屋根勾配に応じて、現場の状況に応じた高さの調整ができ、施工効率が高く、屋根葺職人に好まれている。また、屋根の棟は一般的に作業者が手で屋根材の凹凸に沿わせて施工するが、上記特許文献１、２の防水シートによれば、木槌などで軽く叩いて防水シートを整形することが容易に行える。さらに、強風を伴う雨があっても、建築物の屋根の内側まで浸水する事が稀であり、雨漏り対策が充分なされているという優れた特徴がある。
また、特許文献３では、屋根用防水部材が提案されている。その構造は、その全範囲が上部に設けられた不織布層で覆われている通気口を有する金属膜層を備えたものである。
【先行技術文献】
【特許文献】
【０００６】
【特許文献１】特許第４３８４７２５号
【特許文献２】特許第４９２５２２２号
【特許文献３】特開２０１２−８２６２４号公報  段落００２２、図４
【発明の開示】
【発明が解決しようとする課題】
【０００７】
しかしながら、上記特許文献１、２の防水シートの構造では、強風を伴う雨があっても、屋根の内側への浸水防止対策が図れているが、新たな課題である換気機能の充実に関しては、住宅金融の融資適格で要請される水準として不十分であった。即ち、従来品では通気性が確保されれば十分と考えて、防水シートに設けられた開口部を不織布で覆っていた。この点は、上記特許文献３の防水シートの構造も同様である。しかし、住宅金融の融資適格では、一定面積以上の開口部が必要とされるが、この住宅金融の融資適格の開口部とは、上記特許文献３の防水シートに設けられた開口部を不織布で覆っていた構造では、単に通気性があるに過ぎず、要件を満たしていなかった。
また、棟木を支持する棟木支持具については、棟木が棟瓦や冠瓦を支持する関係で、両側の傾斜面に傾かないように剛性を高めることが必要である。この場合、棟瓦や冠瓦は一枚の重量が約４ｋｇになるため、小屋組に対する棟木支持具の固定を堅固にする必要がある。他方で、棟木支持具は野地板や垂木に、垂木のピッチ（例えば、９１０ｍｍ等）を考慮して設置される。そこで棟木支持具は、一本で約三枚分の棟瓦や冠瓦の重量を支える必要があるため、グラついてしまう場合もあり、その支持強度は必ずしも十分ではないという課題があった。
【０００８】
本発明は上述した課題を解決するもので、棟瓦や冠瓦を支える棟木支持具を堅固に固定できると共に、さらに換気機能が充実していて野地板の結露発生を防止でき、強風を伴う雨があっても屋根の内側への浸水防止対策が図れている、開口部を有する棟支持材を提供することを目的とする。
【課題を解決するための手段】
【０００９】
上記課題を解決する本発明の開口部を有する棟支持材は、例えば図１、図２、図５、図９、図１０に示すように、アルミ箔と合成樹脂製フィルムを含む積層構造、又はエラストマーシートとアルミ箔を含む積層構造の少なくとも一方を有する多層防水シート２０であって、多層防水シート２０の長手方向と直交する横手方向にわたって設けられた横手方向折返し重合せ部（Ｔ）と、多層防水シート２０の換気シート貼付部２７よりも棟木当接部側に形成された防水シート開口部２８と、を有する多層防水シート２０と、多層防水シート２０の防水シート開口部２８と換気できる状態で、多層防水シート２０の長手方向に沿って両端部が取り付けられた換気シート４０であって、換気シート４０の多層防水シート取付部４３と棟木側当接部４１２との間に設けられた換気シート開口部（４２２，４４２）とを有する換気シート４０とを備えることを特徴とする。
【００１０】
本発明の開口部を有する棟支持材において、好ましくは、前記合成樹脂製フィルムは熱収縮性を有し、前記合成樹脂製フィルムが前記アルミ箔の一方の面側に積層されていると共に、多層防水シート２０の長手方向に沿って設けられると共に、多層防水シート２０の換気シート貼付部２７と屋根材取付部（２４、２５）との間に設けられた長手方向折返し重合せ部（Ｌ）を有するとよい。好ましくは、さらに、該アルミ箔の他方の面側には塗膜がコーティングされているとよい。
本発明の開口部を有する棟支持材において、好ましくは、前記エラストマーシートは、耐引き裂き性と熱収縮性を有し、前記エラストマーシートが前記アルミ箔の一方の面側に積層されていると共に、多層防水シート２０の長手方向に沿って設けられると共に、多層防水シート２０の換気シート貼付部２７と屋根材取付部（２４、２５）との間に設けられた長手方向折返し重合せ部（Ｌ）を有するとよい。好ましくは、さらに、該アルミ箔の他方の面側には塗膜がコーティングされているとよい。
【００１１】
本発明の開口部を有する棟支持材において、好ましくは、多層防水シート２０の防水シート開口部２８と換気シート４０の換気シート開口部（４２２，４４２）とが換気できる状態は、防水シート開口部２８と換気シート開口部（４２２，４４２）のうちで、開口面積が最も小さいものの開口面積の有効面積の天井面積に対する割合が１／１６００以上であるとよい。天井面積とは、開口部を有する棟支持材が設置される屋根を有する建造物についての天井面積をいう。
【００１２】
本発明の開口部を有する棟支持材において、好ましくは、換気シート４０は、棟木側当接部４１２を有する換気シート本体部４１と、当該換気シート本体部４１に設けられた多層防水シート取付部４３と、換気シート本体部４１と多層防水シート取付部４３との間に設けられる棟瓦側開口設置部４２であって、換気シート開口部としての棟瓦側開口部４２２を有する棟瓦側開口設置部４２を有するとよい。
本発明の開口部を有する棟支持材において、好ましくは、棟瓦側開口部４２２を有する棟瓦側開口設置部４２に加えて、さらに、中間開口部４４２を有する中間開口設置部４４を、前記換気シート本体部４１と多層防水シート取付部４３との間に有するとよい。中間開口部４４２は、換気シート開口部として作用する。なお、換気シート開口部は棟瓦側開口部４２２と中間開口部４４２の二層構造に限られるものではなく、三層以上設けてもよい。
【００１３】
本発明の開口部を有する棟支持材において、好ましくは、換気シート４０は、さらに、換気シート本体部４１の棟木と当接する部位４１２が、長手方向に多層防水シート２０と固定されているとよい。
本発明の開口部を有する棟支持材において、好ましくは、例えば図５（ｃ）、図１０（ｃ）に示すように、当該開口部を有する棟支持材が棟木に装着された状態では、換気シート４０における棟木と当接するシート固定部位４１２と多層防水シート取付部４３との間隔（Ｌ４１２−４３）は、多層防水シート２０における棟木当接防水シート部２９と換気シート貼付部２７との間隔（Ｌ２９−２７）と大略同じ程度に構成されているとよい。
本発明の開口部を有する棟支持材において、好ましくは、例えば図５（ｃ）、図１０（ｃ）に示すように、換気シート４０は、換気シート本体部４１と棟瓦側開口設置部４２との間に換気シート折曲部４２４が設けられているとよい。
本発明の開口部を有する棟支持材において、好ましくは、例えば図５（ｃ）、図１０（ｃ）に示すように、多層防水シート２０と換気シート４０とが当接した状態では、換気シート４０が換気シート折曲部４２４で折畳まれた状態であり、換気シート４０が多層防水シート２０に対して展開した状態では、換気シート４０が換気シート折曲部４２４で展開された状態であるとよい。
【００１４】
上記課題を解決する本発明の開口部を有する棟支持材の第１の使用方法は、例えば図７に示すように、上記の横手方向折返し重合せ部（Ｔ）と長手方向折返し重合せ部（Ｌ）が設けられた開口部を有する棟支持材の使用方法であって、多層防水シート２０の棟木当接部を棟木支持具３２に載置された棟木３１の頂面に載置する工程（Ｓ１００）と、多層防水シート２０の裾部を、棟木３１と接触する換気シート４０を起点に押し下げて、多層防水シート２０の防水シート開口部２８と換気シート４０の換気シート開口部とが換気できる状態に、換気シート４０の換気シート開口部（４２２，４４２）を展開させる工程（Ｓ１０４、Ｓ１０６）と、多層防水シート２０の裾部を屋根材３５に取り付けて、長手方向折返し重合せ部（Ｌ）が展開される工程（Ｓ１１２）と、を備えることを特徴とする。
上記課題を解決する本発明の開口部を有する棟支持材の第２の使用方法は、例えば図１１に示すように、上記の横手方向折返し重合せ部（Ｔ）が設けられた開口部を有する棟支持材の使用方法であって、多層防水シート２０の棟木当接部を棟木支持具３２に載置された棟木３１の頂面に載置する工程（Ｓ２００）と、多層防水シート２０の裾部を、棟木３１と接触する換気シート４０を起点に押し下げて、多層防水シート２０の防水シート開口部２８と換気シート４０の換気シート開口部とが換気できる状態に、換気シート４０の換気シート開口部（４２２，４４２）を展開させる工程（Ｓ２０４、Ｓ２０６）と、多層防水シート２０の裾部を屋根材３５に取り付ける工程（Ｓ２１２）と、を備えることを特徴とする。
【発明の効果】
【００１５】
本発明の多層防水シートと換気シートを組み合わせた開口部を有する棟支持材によれば、次の効果がある。
（Ａ）多層防水シートの長手方向折返し重合せ部Ｌを展開することで、長手方向折返し重合せ部Ｌが雨返しとして作用し、強風を伴う雨があっても、屋根の内側への浸水防止対策が図れ、雨漏りが殆どない。
（Ｂ）多層防水シートの防水シート開口部と換気シートの換気シート開口部とが換気できる状態で、開口部を有する棟支持材が棟木を覆う状態で小屋組に取り付けられることができる。そこで、換気機能が充実して、小屋裏にある湿気を屋外に排出することで、野地板等での結露発生を防止できる。この換気機能は、住宅金融の融資適格の開口部として扱われる。従来は瓦裏と野地面の間換気だったが、『開口部』を有することで、住宅金融の融資基準でいう排気孔の要件を満たし、基準に適合する製品となる。これにより換気棟としての機能を有し、従来型の換気棟を使用しなくてもよくなり、かつ、当該融資基準で規定される『できる限り棟部』という要件を充足させる観点からも望ましい。従来型の換気棟としては、例えば出願人の製造・販売している『換気スター』（登録商標）がある。
（Ｃ）開口部を有する棟支持材が棟木を覆う状態で屋根材に取り付けられるので、多層防水シートのアルミ箔が有する保形性によって棟木支持具を補強するため、棟瓦や冠瓦を支える棟木支持具を堅固に屋根材に固定できる。また、換気シートがあることで、万が一、多層防水シートの長手方向折返し重合せ部Ｌを越えてきた雨水があったとしても、雨水が貫通して小屋裏に入ることを防止できる（遮水機能）。
（Ｄ）開口部を有する棟支持材は、多層防水シートと換気シートとがロール状に巻かれた状態で流通できるので、運搬や使用前の保存に便利である。また、開口部を有する棟支持材は、例えば図５に示すように、展開して屋根材に設置される際に、換気シートも展開される構造としているので、施工効率が高まる。
【図面の簡単な説明】
【００１６】
【図１】本発明の開口部を有する棟支持材の一形態を説明する構成斜視図で、（ａ）は装着される棟木の頂面方向から長手方向に見た平面斜視図、（ｂ）は横手方向の斜視図である。
【図２】本発明の開口部を有する棟支持材の一形態を説明する構成図で、（ａ）は上面から見た平面図、（ｂ）は図２（ａ）のｂ−ｂ方向から見た横手方向断面図、（ｃ）は下面から見た底面図、（ｄ）は図２（ａ）ｄ−ｄ方向から見た側面図である。
【図３】本発明の開口部を有する棟支持材に用いられる多層防水シートの構成図で、（ａ）は多層防水シートについて（ｂ）のＡ−Ａ方向の断面図、（ｂ）は多層防水シートの構成斜視図である。
【図４】本発明の開口部を有する棟支持材に用いられる多層防水シートの拡大断面図である。
【図５】本発明の開口部を有する棟支持材の施工状態を説明する要部拡大断面図で、（ａ）は屋根の棟部近傍における開口部を有する棟支持材の納まり状態を説明する要部断面図、（ｂ）は開口部を有する棟支持材の棟部近傍における作業態様を説明する要部断面図、（ｃ）は開口部を有する棟支持材の効用を説明する要部断面図である。
【図６】本発明の開口部を有する棟支持材に用いられる換気シートの展開図である。
【図７】横手方向折返し重合せ部（Ｔ）と長手方向折返し重合せ部（Ｌ）とを有する棟用防水シートの設置方法を説明する流れ図である。
【図８】棟の長手方向に開口部を有する棟支持材を敷設する場合を説明する斜視図である。
【図９】本発明の開口部を有する棟支持材の第２の実施形態を説明する構成図で、（ａ）は上面から見た平面図、（ｂ）は図９（ａ）のｂ−ｂ方向から見た横手方向断面図、（ｃ）は下面から見た底面図、（ｄ）は図９（ａ）ｄ−ｄ方向から見た側面図である。
【図１０】本発明の第２の実施形態の開口部を有する棟支持材の施工状態を説明する要部拡大断面図で、（ａ）は屋根の棟部近傍における開口部を有する棟支持材の納まり状態を説明する要部断面図、（ｂ）は開口部を有する棟支持材の棟部近傍における作業態様を説明する要部断面図、（ｃ）は開口部を有する棟支持材の効用を説明する要部断面図である。
【図１１】横手方向折返し重合せ部（Ｔ）を有する棟用防水シートの設置方法を説明する流れ図である。
【発明を実施するための最良の形態】
【００１７】
以下、図面によって本発明の実施の形態について説明する。
図１は、本発明の開口部を有する棟支持材の一形態を説明する構成斜視図で、（ａ）は装着される棟木の頂面方向から長手方向に見た平面斜視図、（ｂ）は横手方向の斜視図である。
本発明の開口部を有する棟支持材は、多層防水シート２０と換気シート４０とを一体に構成すると共に、多層防水シート２０の防水シート開口部２８と換気シート４０の換気シート開口部（４２２，４４２）とが換気できる状態で、開口部を有する棟支持材が棟木を覆う状態で屋根材に取り付けられることができる。本発明の開口部を有する棟支持材をこのように屋根材に取り付けると、換気機能が充実して、小屋裏にある湿気を屋外に排出することで、野地板等での結露発生を防止できる。
具体的には、多層防水シート２０に換気シート４０の両端が粘着テープや接着剤等を用いて取り付けられる。換気シート４０の構造については、後で詳細に説明することにし、まず多層防水シート２０の構造の詳細を説明する。
【００１８】
図２は、開口部を有する棟支持材の一実施の形態を説明する構成図で、多層防水シート２０に換気シート４０を取付けた状態を示している。図２（ａ）は上面から見た平面図、（ｂ）は図２（ａ）のｂ−ｂ方向から見た横手方向断面図、（ｃ）は下面から見た底面図、（ｄ）は図２（ａ）ｄ−ｄ方向から見た側面図である。二方向折り重ね状態の多層防水シート１０には、横手方向折返し重合せ部Ｔと長手方向折返し重合せ部Ｌとを形成した二方向折り重ね状態のものを用いているので、多層防水シート２０は長手方向だけでなく横手方向にも延伸性を有する。
【００１９】
図において、開口部を有する棟支持材は、多層防水シート２０を適宜の長さに調整して用いると共に、粘着テープ２５、剥離紙２６、換気シート貼付部２７、防水シート開口部２８、棟木当接防水シート部２９を有している。また、多層防水シート２０には、換気シート貼付部２７を介して換気シート４０が取り付けられている。換気シート４０は、多層防水シート２０における棟木との当接部となる棟木当接防水シート部２９と防水シート開口部２８を覆う状態で、多層防水シート２０に装着されている。図２（ｂ）に示すように、換気シート４０は、その両端部を起立させて、多層防水シート２０を底面として展開した状態とすることが出来て、棟部への装着を容易にしている。なお、換気シート４０は、その両端部を折り畳んで多層防水シート２０と重ねた状態とすると、開口部を有する棟支持材の運搬や保管の便宜を図ることができる。
なお、多層防水シート２０と換気シート４０は、その棟木と当接する中央部２９、４１２を長手方向に接着して、両者の一体性を高めてもよい。この場合、換気シート４０の両端部４２、４４を起立させると、換気シート４０の中央部４１２が接着された状態を維持するため、多層防水シート２０を底面として、換気シート４０の両端部４２、４４が展開した状態となり、断面が大略三角形となる。
【００２０】
図２（ａ）に示すように、多層防水シート２０は、棟木との当接部となる中央部分を介して左右対称の形状を有している。多層防水シート２０には、長手方向折返し重合せ部Ｌが換気シート４０に沿って左右に夫々一箇所設けられている。
【００２１】
図２（ｂ）に示すように、長手方向折返し重合せ部Ｌが存在するため、多層防水シート２０は、上段多層防水シート部２０１、上段折曲げ部２０２、折返し多層防水シート部２０３、下段折曲げ部２０４、下段多層防水シート部２０５を左右対称に有している。また、図２（ｃ）に示すように、棟木装着用折り目部２０６は、多層防水シート２０の下面に現れており、多層防水シート２０を棟木に装着する際の折り曲げ部位である。典型的な多層防水シート２０の形状は、横手方向に関しては、棟木装着用折り目部２０６の間隔Ｔ２０６と、折返し多層防水シート部２０３を折り重ねた状態での棟木装着用折り目部２０６と下段多層防水シート部２０５との両端の間隔Ｔｒ，Ｔｌを用いて、（Ｔｒ＋Ｔ２０６＋Ｔｌ）となっている。他方、多層防水シート２０の長手方向の長さＬａｌｌは、棟の長さや多層防水シート２０の全体重量と作業性の観点から、適宜に定める。
【００２２】
粘着テープ２５は、ブチル系、ＥＰＤＭ系またアスファルト系の材料よりなるテープ材が好ましい。壁際用簡便施工装置の長手方向の裾部Ｍに幅１０ｍｍ〜５０ｍｍ（好ましくは３０ｍｍ）装着することが好ましい。剥離紙２６は、粘着テープ２５が瓦等の屋根葺材に開口部を有する棟支持材を取り付けるのに用いられるまでの、粘着テープ２５の粘着性を防止する作用をするものである。換気シート４０には、例えばポリプロピレン製、ポリエステル製等の合成又は天然の繊維材料よりなる布、或いはエラストマーシートを用いるとよい。
【００２３】
横手方向折返し重合せ部Ｔは、屋根材の凹凸に馴染ませるように貼り付けるため、折返し重合せ部Ｔを連続して設け、折返し重合せ部Ｔ同士の間隔Ｌｐは５ｍｍ〜２０ｍｍであり、延伸率Ｅｘｐｔが１１０％〜１６０％であることが好ましい。長手方向折返し重合せ部Ｌは、主に屋根材の谷部に沿うように長手方向に延伸させるため、折返し多層防水シート部２０３の横手方向の長さＴ２０３を２０ｍｍ〜４０ｍｍ確保することが好ましい。
【００２４】
換気シート貼付部２７は、上段多層防水シート部２０１の上段折曲げ部２０２に近い側に設けられたもので、換気シート４０の両端部が貼付される。換気シート貼付部２７は、換気シート４０の取付けを確実にするために、上段多層防水シート部２０１の両縁部の近傍に長手方向に連続して設けられる。なお、多層防水シート２０に対する換気シート４０の取付けは、例えばホットメルト型の接着剤や粘着剤を用いた貼付を用いると良いが、これに限定されるものではなく、熱シート融着や縫い付け若しくは機械的な係合であってもよい。機械的な係合には、面状に設けられた傘状の数ｍｍ程度の微細な突起部と、対抗面に設けられる曲率が数ｍｍ程度のループ状の係止部とを組み合わせたものが含まれる。
【００２５】
防水シート開口部２８は、上段多層防水シート部２０１の両側に位置する棟木装着用折り目部２０６と上段折曲げ部２０２との間に、長手方向に連続して設ける。防水シート開口部２８の形状は、換気シート４０で被覆された状態で換気性が確保できるように定めるのがよい。図２（ｃ）に示すように、防水シート開口部２８は長手方向に二列形成してあり、開口率として、開口部の有効面積の天井面積に対する割合が１／１６００以上を確保するように定めるとよい。なお、防水シート開口部２８は長手方向に一列又は三列以上形成してあってもよい。
棟木当接防水シート部２９は、上段多層防水シート部２０１の大略中央部に設けられるもので、その幅は、屋根に多層防水シート２０を装着する場合に、当接する棟木の幅に相当している。
【００２６】
本発明の開口部を有する棟支持材によれば、多層防水シート１０を棟部用に適宜の形状に裁断しているので、横手方向折返し重合せ部Ｔを延伸することで、屋根材の凹凸に対応できると共に、長手方向折返し重合せ部Ｌを延伸することで、屋根材の段差への対応だけでなく、水返しの役目も果たす。また、作業者にとっても、横手方向への薄手のエラストマーシートの弾性とアルミ箔の保形性を有するシートのため、手に馴染みやすいため、平坦な屋根瓦の葺かれている領域と比較して、棟瓦部のように屋根傾斜の異なる領域の境界において類型的に生じやすい施工不良の発生が防止でき、施工時間の短縮につながる。
【００２７】
続いて、本発明の開口部を有する棟支持材に用いられる多層防水シートを説明する。図３は多層防水シートの構成図で、図３（ａ）は多層防水シートについて図３（ｂ）のＡ−Ａ方向の断面図、図３（ｂ）は多層防水シートの構成斜視図である。
【００２８】
図において、多層防水シート１０は、例えば図３（ｂ）に示すように、この多層防水シートの長手方向（Length direction）の途中に該長手方向と直交する横手方向（Transverse direction）にわたって横手方向折返し重合せ部Ｔを形成し、該長手方向にわたって長手方向折返し重合せ部Ｌを形成した二方向折り重ね状態としている。
【００２９】
図３（ａ）、（ｂ）に示すように、横手方向折返し重合せ部Ｔの間隔Ｌｐは、屋根形状の凸凹形状の複雑さに対応するため、適宜に定める。また、横手方向折返し重合せ部Ｔが存在するため、多層防水シート１０は、上段多層防水シート部１０１、上段折曲げ部１０２、折返し多層防水シート部１０３、下段折曲げ部１０４、下段多層防水シート部１０５、連結多層防水シート部１０６を有している。そして、折返し多層防水シート部１０３を展開すると、上段多層防水シート部１０１と下段多層防水シート部１０５との間隔が、折返し多層防水シート部１０３の長手方向長さＬ１０３の二倍の範囲で調整できる。長手方向折返し重合せ部Ｌの間隔Ｌｐに適合するように、長手側折返し多層防水シート部１０３の長手方向長さＬ１０３と長手側連結多層防水シート部１０６の長手方向長さＬ１０６が定められる。
【００３０】
また、図３（ｂ）に示すように、長手方向折返し重合せ部Ｌが存在するため、多層防水シート１０は、長手延伸側上段多層防水シート部１２１、長手延伸側上段折曲げ部１２２、長手延伸側折返し多層防水シート部１２３、長手延伸側下段折曲げ部１２４、長手延伸側下段多層防水シート部１２５を有している。そして、長手延伸側折返し多層防水シート部１２３を展開すると、長手延伸側上段多層防水シート部１２１と長手延伸側下段多層防水シート部１２５との間隔が、長手延伸側折返し多層防水シート部１２３の横手方向長さＴ１２３の二倍の範囲で調整できる。
【００３１】
横手方向折返し重合せ部Ｔは、屋根材の凹凸に馴染ませるように貼り付けるため、横手方向折返し重合せ部Ｔを連続して設け、横手方向折返し重合せ部Ｔ同士の間隔Ｌｐと延伸率Ｅｘｐｔは、主に被覆対象となる屋根材の凹凸に応じた適宜の価とすることが好ましい。ここで、横手方向折返し重合せ部Ｔの延伸率Ｅｘｐｔは、例えば次式で定義することができる。
Ｅｘｐｔ＝（Ｌｐ＋２Ｌ１０３）／Ｌｐ  （１）
【００３２】
長手方向折返し重合せ部Ｌは、主に被覆対象となる屋根材の段差のような凸凹形状に適合するように長手方向に延伸させるため、長手延伸側折返し多層防水シート部１２３を適宜の長さ確保することが好ましい。ここで、長手方向折返し重合せ部Ｌの延伸率Ｅｘｐｌは、例えば多層防水シート１０の横手方向の長さＴａｌｌを用いて次式で定義することができる。
Ｅｘｐｌ＝（Ｔａｌｌ＋２Ｔ１２３）／Ｔａｌｌ  （２）
【００３３】
本態様の多層防水シートによれば、当該二方向折り重ね状態の多層防水シートを用いているので、横手方向折返し重合せ部Ｔを延伸することで、屋根材の凹凸に対応できると共に、長手方向折返し重合せ部Ｌを延伸することで、屋根材の段差への対応だけでなく、屋根材の段差による隙間に対して水返しの役目も果たす。
【００３４】
図４は、本発明の開口部を有する棟支持材に用いられる多層防水シートを説明する構成図である。図において、多層防水シート５０は、焼付樹脂系塗料５１、アルミ箔５２、接着剤５３、合成樹脂製フィルム５４の四層構造になっている。ここで、焼付樹脂系塗料５１は、耐久性と耐引裂性を考慮し、エポキシ系やアクリルシリコン系等の樹脂系塗料の塗布厚を２μｍ〜２０μｍ、好ましくは３μｍ〜１０μｍ、特に好ましくは５μｍ〜８μｍ程度を焼付け加工するのがよい。塗布厚が２μｍ未満であれば、十分な耐久性や耐食性の向上が得られない。塗布厚が２０μｍを超えると、塗布回数が増大して製造効率が低下する。焼付樹脂系塗料５１は、多層防水シートの屋根装着時の表側に設けられるので、顔料を適切に選択することで多様な色彩や模様を選択できる。焼付樹脂系塗料５１は、更にアルミ箔５２の表面への加工性を考慮して定められる。焼付樹脂系塗料５１には、エポキシ樹脂系塗料またはアクリル樹脂系塗料、または近年では住宅の長寿命化を図るため、耐久性が特に重要視されることから、シリコン系またはフッ素樹脂系塗料が現実的である。また、ポリウレタン系、塩化ゴム系、塩化ビニール系などでもよい。
【００３５】
アルミ箔５２は、作業者が手加工により成形するため、軟質アルミニウムであり、厚みが４０μｍ〜１２０μｍ（好ましくは６０μｍ）程度が好ましい。アルミ箔５２の厚みは、貼り合せられる合成樹脂製フィルム５４の厚さと熱収縮力、作業者が多層防水シートを屋根材の凹凸に対応できるように変形する場合の作業性、並びに多層防水シートを製造するために用いる織り機の能力により定まる。そして、アルミ箔５２の厚みの下限側は、次の要件により定まる。
【００３６】
（ｉ）アルミ箔５２と合成樹脂製フィルム５４とを貼り合わせる工程における巻き巣の発生頻度。
（ｉｉ）アルミ箔５２が合成樹脂製フィルム５４を積層固定する力に対し、列理方向への熱収縮力が大きくなり、合成樹脂製フィルム５４がアルミ箔５２から剥離してしまうこと。
（ｉｉｉ）アルミ箔５２が形状を保持する力に対し、列理方向への熱収縮力が大きくなり、アルミ箔５２が表面側に丸まってしまうこと。
（ｉｖ）アルミ箔５２が実際に施工される現場における、風力で変形しない保持力（保形性）。
【００３７】
他方、アルミ箔の厚さの上限は、作業者が多層防水シートを手加工で屋根材の凹凸に対応できるように変形できる程度の低剛性が必要である。さらに、アルミ箔５２と合成樹脂製フィルム５４の厚さは、多層防水シートを製造するために用いる織り機で織ることができる剛性である必要がある。これら三要件を充足するアルミ箔５２の厚さとしては、４０μｍ〜１２０μｍが好ましい。
【００３８】
接着剤５３は、アルミ箔５２と合成樹脂製フィルム５４の二層間の接着に用いられる。接着剤５３により、二層間に起こる折り返した部位の応力を緩和でき、より折り曲げ加工性に富むシートが得られる。アルミ箔５２と合成樹脂製フィルム５４の二層間の接着には、ドライラミネーションと呼ばれる加工法で接着される。ドライラミネーションは、接着剤を有機溶剤で適当な粘度に希釈してフィルムに塗布し、乾燥後もう一方のフィルムと圧着して貼り合わせる方法である。接着剤５３には、ポリエステル系接着剤、ポリエーテル系接着剤などがあり、耐熱性、耐薬品性、深絞り適性など、使用する接着剤の特性でラミネートフイルムの性能も決まる。
ドライラミネートには、有機溶剤で希釈する一般的な方法と、有機溶剤を使用しないで、加熱によって適当な粘度に調節後塗布する無溶剤タイプがある。また最近ではエマルジョンタイプ（水の中に接着剤を分散した水性タイプ）もある。
【００３９】
合成樹脂製フィルム５４には、例えばＰＥＴ、ナイロン樹脂、塩化ビニールのような耐熱性が１５０℃以上ある合成樹脂であって、耐候性と耐引裂性の高い材料を用いるとよい。合成樹脂製フィルム５４の厚さは、１０μｍ〜８０μｍが好ましい。合成樹脂製フィルム５４の厚さが８０μｍを超えると、次の理由により、製造効率が低下する。
（ｉ）貼り合わせ工程における巻き巣が起こりやすくなる。
（ｉｉ）アルミ箔５２が合成樹脂製フィルム５４を積層固定する力（β）に対し、列理方向への熱収縮力（α）が大きくなり、合成樹脂製フィルム５４がアルミ箔５２から剥離してしまう。
（ｉｉｉ）アルミ箔５２が形状を保持する力（γ）に対し、列理方向への熱収縮力（α）が大きくなり、アルミ箔５２が表面側に丸まってしまう。
（ｉｖ）多層シート自体が硬くなるため、皺加工（プリーツ加工）の歩留まりと出来高が悪化する。
他方で、合成樹脂製フィルム５４の厚さが１０μｍ未満の場合は、開口部を有する棟支持材として２５年から５０年程度の長期間の使用において、耐候性と耐引裂性が確保できなくなる。本態様の多層防水シートによれば、作業者にとっては、横手方向への薄手の合成樹脂製フィルム５４の弾性とアルミ箔５２の保形性を有するシートのため、手に馴染みやすいため、施工不良が起き難く、施工時間の短縮につながる。
【００４０】
合成樹脂製フィルム５４とアルミ箔５２の厚さ決定は、熱収縮性の条件を満たし、且つ織り機で織ることができ、且つ作業者が手加工で屋根材の凹凸に対応できることが好ましい。しかし、合成樹脂製フィルム５４では耐久性が不足する場合には、多層防水シートの他の態様として、合成樹脂製フィルム５４に代えて合成樹脂製シートを用いてもよい。合成樹脂製シートは、その厚さが８０μｍ〜３００μｍが好ましい。合成樹脂製シートの厚さが３００μｍを超えると、開口部を有する棟支持材の製造効率や施工効率が低下する。合成樹脂製シートとしては、エラストマーシートや塩化ビニール製シート、ポリエチレン製シート、ポリスチレン製シート等の汎用樹脂を用いたシートを用いることができる。
他方で、合成樹脂製フィルムの場合には、接着層に代えて、アルミ箔５２に直接合成樹脂製フィルムを熱融着することもできる。合成樹脂製シートの場合には、さらに樹脂系塗装層を設けてもよい。また、アルミ箔の一方の面には合成樹脂製シートを設け、他方の面には合成樹脂製フィルムの層を設けてもよい。
【００４１】
表１は、開口部を有する棟支持材の各種態様を説明するものである。
【表１】
0005981061.tif 000002
【００４２】
次に、再び図１と図２（ｂ）を参照して、換気シート４０の構造の詳細を説明する。
換気シート４０は、換気シート本体部４１、棟瓦側開口設置部４２、棟瓦側開口部４２２、多層防水シート取付部４３、中間開口設置部４４、中間開口部４４２、縫付ライン部４６を有している。換気シート４０には、ポリプロピレン、ポリエステルなどの繊維材料が用いられる。繊維材料としては、撥水性と耐久性のある繊維であればよい。換気シート４０には、例えばエラストマーシートや樹脂製フィルムなどの撥水性と耐久性のあるものであればよく、また不織布や平織・綾織等の通常の布材料に用いられる織物構造でもよい。
換気シート本体部４１は、多層防水シート２０の防水シート開口部２８を覆う横手方向の幅を有するもので、大略の幅として上段多層防水シート部２０１の両側に位置する上段折曲げ部２０２の間隔と同じ程度かやや狭くなっている。換気シート本体部４１は、その厚みを多層防水シート２０と比較して薄くするのがよいが、耐久性を確保する必要はあるので、耐候性と耐引裂性の高い繊維材料を用いるとよい。
【００４３】
棟瓦側開口設置部４２と中間開口設置部４４は、換気シート本体部４１の縁部と多層防水シート取付部４３とで、断面ロの字状の筒部を形成している。棟瓦側開口設置部４２は、換気シート４０と多層防水シート２０が棟木に装着された状態で、棟瓦の端部に近い外側の底部に位置する。中間開口設置部４４は、換気シート４０と多層防水シート２０が棟木に装着された状態で、棟木や多層防水シート２０に近い外側の底部に位置する。棟瓦側開口設置部４２と中間開口設置部４４は、換気シート４０と多層防水シート２０が棟木に装着された状態で、底部に位置することで、結露した水分が屋外に排出されることを促進すると共に、雨水の浸入を防止することや換気性能の確保を図っている。棟瓦側開口設置部４２と中間開口設置部４４は、それぞれ棟瓦側開口部４２２と中間開口部４４２を有している。棟瓦側開口部４２２と中間開口部４４２は、換気シート開口部として作用する。
【００４４】
棟瓦側開口部４２２と中間開口部４４２は、開口部の有効面積の天井面積に対する割合が１／１６００以上を確保するように、その開口部の形状と設置密度を定めるとよい。棟瓦側開口部４２２と中間開口部４４２は、例えば多層防水シート２０の防水シート開口部２８よりも小さな開口部が横手方向に二列又は三列設けられるとよい。開口部の孔を小さくすることで、雨水の浸入を防止することができる。開口部の孔を小さくすると、開口部の有効面積の天井面積に対する割合を確保するために、開口部の孔を横手方向に複数列設けると共に、その間隔を狭くして開口部の有効面積を確保するのが良い。なお、棟瓦側開口部４２２と中間開口部４４２は、開口部の有効面積の天井面積に対する割合を確保できる開口部形状のものが、一列設けられていてもよい。さらに、防水シート開口部２８と棟瓦側開口部４２２又は中間開口部４４２の形状は、開口部の有効面積の天井面積に対する割合が１／１６００以上を確保できると共に、荒天時における雨水の屋根裏への浸入を防止できるものであればよいので、両者の大小関係は適宜に定めてよい。
【００４５】
例えば、防水シート開口部２８と棟瓦側開口部４２２又は中間開口部４４２における開口部は、長手方向１メートル単位あたりの開口面積として、２０〜４００ｃｍ２くらいがよく、さらに好ましくは６０〜２００ｃｍ２くらいがよく、最も好ましくは８０〜１４０ｃｍ２くらいがよい。長手方向１メートル単位あたりの開口面積として、２０ｃｍ２以下では、棟の全長にわたって開口部を有する棟支持材を設置しても、開口部の有効面積の天井面積に対する割合が１／１６００以上を確保するのが困難になる。他方、４００ｃｍ２以上では、開口部を有する棟支持材の開口部が大きくなりすぎて、荒天時の浸水防止が困難になる。
【００４６】
換気棟の有効天井面積は、例えばフラット３５（住宅金融支援機構）の融資基準に基づいて計算するとよい。当該融資基準では、『軒裏又は小屋裏の壁のうち屋外に面するものに吸気孔が設けられ、小屋裏のできるだけ頂部に排気筒その他の器具を用いて排気孔が設けられ、かつ、吸気孔の有効面積の天井面積に対する割合が９００分の１以上であり、排気孔の有効面積の天井面積に対する割合が１６００分の１以上であること。』と規定されている。
そこで、棟に対する開口部を有する棟支持材の設置は、例えば住宅金融支援機構の現在の基準による融資条件である、開口部の有効面積の天井面積に対する割合が１／１６００以上を確保できればよく、従って開口部を有する棟支持材を棟の長さ方向に渡って全部に設置してもよく、また部分的に設置してもよい。部分的に開口部を有する棟支持材を棟に設置する場合は、開口部を有する棟支持材の設置されない棟部については、通常の換気機能のない防水シートを設置してよい。
【００４７】
多層防水シート取付部４３は、換気シート貼付部２７に取り付けられる部位であり、本発明の開口部を有する棟支持材を屋根に装着した状態で、換気シート本体部４１の横手方向両側の縁部に沿って位置している。ここでは、多層防水シート取付部４３は、棟瓦側開口設置部４２と中間開口設置部４４を介して、換気シート本体部４１の横手方向両側の縁部と二重の経路で接続するように、長手方向に連続して位置している。
縫付ライン部４６は、例えば一枚の布状のシートの両端を折り畳んで換気シート４０の両端縁部に棟瓦側開口設置部４２と中間開口設置部４４を設ける場合に、換気シート４０の両端を折り返して換気シート本体部４１の裏面に縫い付ける場合に現れる、縫い糸の線状の部位である。なお、換気シート４０の両端を折り返して換気シート本体部４１に固定する場合に、縫い糸に代えて、接着剤、粘着剤、熱融着、圧着等の手段を用いてもよい。
【００４８】
さらに図６と図５（ｃ）を参照して、換気シート４０の構造の詳細を説明する。図５（ｃ）は、本発明の開口部を有する棟支持材を屋根に装着した状態を説明する要部断面図である。図６は、本発明の開口部を有する棟支持材に用いられる換気シートの展開図である。
換気シート４０は、さらに、換気シート折曲部４２４、４２６、４４４、４４６を有している。換気シート折曲部４２４は、換気シート本体部４１と棟瓦側開口設置部４２の間に位置する折り曲げ線である。換気シート折曲部４２６は、棟瓦側開口設置部４２と多層防水シート取付部４３の間に位置する折り曲げ線である。換気シート折曲部４４４は、多層防水シート取付部４３と中間開口設置部４４の間に位置する折り曲げ線である。換気シート折曲部４４６は、中間開口設置部４４と換気シート本体部４１の縫付ライン部４６の間に位置する折り曲げ線である。換気シート折曲部４２４、４２６、４４４は山折となっている。これに対して、換気シート折曲部４２６は谷折りとなっており、換気シート本体部４１に縫い付けるのが容易になっている。
なお、この実施の形態では、本発明の開口部を有する棟支持材を屋根に装着した状態で、換気シート本体部４１の横手方向両側の縁部と多層防水シート取付部４３とは、棟瓦側開口設置部４２と中間開口設置部４４の二重の経路で繋がっている。他の態様としては、棟瓦側開口設置部４２と中間開口設置部４４は、何れか一方のみでもよい。
【００４９】
図５は、開口部を有する棟支持材の施工状態を説明する要部拡大断面図で、（ａ）は屋根の棟部近傍における開口部を有する棟支持材の納まり状態を説明する要部断面図、（ｂ）は開口部を有する棟支持材の棟部近傍における作業態様を説明する要部断面図、（ｃ）は開口部を有する棟支持材の効用を説明する要部断面図である。図５（ｂ）に示すように、開口部を有する棟支持材の裾部を棟木の上辺を軸にして下ろすことで、棟包の内側に納まることを示した図である。図５（ｃ）に示すように、開口部を有する棟支持材が雨水を遮断して、空気を通している状態を説明している。
【００５０】
図５（ａ）において、施工対象となる建造物の屋根の棟部３０には、棟木３１、棟木支持材３２、ルーフィング３３、桟木３４、屋根材３５、棟包３６、ビス３７、木ズリ３８、野地板３９が用いられている。さらに、棟部３０には、小屋裏開口部３０１も存在している。ここで、棟木３１は、屋根の最上部に、桁行(けたゆき)方向に取り付ける横木をいう。棟木支持材３２は、例えば発泡ポリスチレンのような樹脂製や専用金具が好ましく、棟木３１を支持する棟木接触部３２１と、棟木３１とルーフィング３３までの間隙に設けられて支持する縦支持部３２２と、棟を境として両側に傾斜しているルーフィング３３と接触する逆Ｙ字形接触部３２３とを有している。ルーフィング３３は、防水作用のあるシート状の部材で、屋根材３５が瓦の場合にはアスファルト系シートが用いられる。
【００５１】
桟木３４は、屋根の瓦３５をとめるときに使用する部材で、屋根材３５を引掛けるため材に直交して間に挟む小角材である。屋根材３５には、典型的には瓦やスレートを用いるが、瓦のような厚型の屋根材を用いるとよい。棟包３６は、棟木３１を被覆して防水を確実にするもので、耐久性の高い金属板や屋根材と同質素材が用いられる。ビス３７は、棟包３６を棟木３１に固定するのに用いるもので、金属製の剛性が高く耐久性の高い材料が用いられる。木ズリ３８は、桟木３４の下に垂直に設置する幅２０ｍｍ程度のテープ状のもので、桟木３４に雨水が溜まらず、流れ落ちる。野地板３９は、屋根瓦などを固定する屋根面の下地合板をいい、垂木の上に合板を張り、その上にルーフィング３３を施工してある。
【００５２】
このように構成された施工対象となる建造物の屋根の棟部近傍における、開口部を有する棟支持材の設置手順を次に説明する。図７は、横手方向折返し重合せ部（Ｔ）と長手方向折返し重合せ部（Ｌ）が設けられた開口部を有する棟支持材の設置方法を説明する流れ図、図８は棟の長手方向に開口部を有する棟支持材を敷設する場合を説明する斜視図である。まず、図５（ｂ）（ｉ）に示すように、開口部を有する棟支持材の長手方向の中央部を、棟木３１の上側面に屋根の棟方向と並行に設置する（ステップ１００）。次に、開口部を有する棟支持材を棟木３１にステープル等で仮止めする（ステップ１０２）。ステープル等を打つのは、多層防水シート２０における棟木との当接部となる中央部分とするのがよい。
【００５３】
次に、図５（ｂ）（ｉｉ）・（ｉｉｉ）に示すように、開口部を有する棟支持材の横手方向の裾部を、棟木３１に接する棟木装着用折り目部２０６を起点として押し下げる（ステップ１０４）。この場合、長手方向折返し重合せ部Ｌを押し下げる程度としては、裾部２４を棟包３６の内側の墨打ち位置に納まる程度にするのがよい。
この開口部を有する棟支持材の形状変更時に、多層防水シート２０の防水シート開口部２８と、換気シート４０の棟瓦側開口部４２２および中間開口部４４２とが換気できる状態に、換気シート４０の棟瓦側開口設置部４２と中間開口設置部４４が展開する（ステップ１０６）。ここでは、多層防水シート２０に装着された換気シート４０の両端近傍部が袋状または三角形状に展開される。これに付随して、棟瓦側開口設置部４２と中間開口設置部４４は、折り畳んだ状態から其々が起き上がった姿勢となり、棟瓦側開口部４２２と中間開口部４４２とが多層防水シート２０の防水シート開口部２８と換気できる形状になる。
【００５４】
そこで、開口部を有する棟支持材が棟木に装着された状態では、この開口部を有する棟支持材の形状変更により換気性能が確保される。即ち、換気シート４０における棟木３１と当接するシート固定部位４１２と多層防水シート取付部４３との間隔（Ｌ４１２−４３）は、多層防水シート２０における棟木当接防水シート部２９と換気シート貼付部２７との間隔（Ｌ２９−２７）と大略同じ程度に構成されている。そこで、開口部を有する棟支持材の横手方向の裾部を、棟木３１に接する棟木装着用折り目部２０６を起点として押し下げると、換気シート折曲部４２４、４２６、４４４、４４６が有効に作用して、換気シート本体部４１の端部、棟瓦側開口設置部４２、多層防水シート取付部４３、中間開口設置部４４および縫付ライン部４６によって、断面ロの字形の管状通気路が換気シート本体部４１の縫付ライン部４６近傍の端部に形成される。
【００５５】
次に、多層防水シート２０を屋根材３５に取り付けるために、粘着テープ２５の剥離紙２６を剥がして、屋根材３５の山部３５２に対して、開口部を有する棟支持材を長手方向に接着する（ステップ１０８）。ここで、ステップ１０４の開口部を有する棟支持材の長手方向の裾部を棟木３１に対して押し下げと、粘着テープ２５の剥離紙２６を剥がすこととは、時間的に前者と後者を同時並行的に行ってよく、また後者の剥離を先に行ってから前者の押し下げを行っても良い。多層防水シートの長手方向の裾部を棟木３１に対して押し下げる際に、粘着テープ２５の剥離紙２６を剥がしながら押し下げることで、同時並行的に作業でき、施工の手順を簡略化できる。
【００５６】
他方、屋根材３５の谷部３５４に対しては、当該谷部形状に沿うように、多層防水シートを長手方向に延伸させて接着する（ステップ１１０）。多層防水シートと屋根材３５の山部３５２や谷部３５４との接着には、粘着テープ２５を用いるのがよい。開口部を有する棟支持材の裾部を屋根材３５に取り付けることで、長手方向折返し重合せ部Ｌが展開される（ステップ１１２）。屋根材３５として日本瓦のように一枚の瓦に山部３５２と谷部３５４が存在するものを用いると、隣接する瓦相互の設置において山部３５２と谷部３５４の端部を旨く位置合わせすることで、換気性能が充実していると共に、雨水に対する耐性の高い、強固に一体構造の屋根が構成できる（ステップ１１４）。このとき、図８に示すように、多層防水シートは、屋根材３５の山部３５２や谷部３５４の形状に適合させると共に、棟木３１の形状に適合させる必要がある。そこで、多層防水シートの横手方向折返し重合せ部Ｔに関しては、棟木３１のように平坦な場合では重ね合せた状態で装着し、屋根材３５の山部３５２や谷部３５４のように凸凹形状の場合は重ね合せた状態から展開状態にして、装着する。このようにして、開口部を有する棟支持材の設置が完了する（ステップ１１６）。
【００５７】
図７に示す開口部を有する棟支持材の設置手順によれば、図５（ｂ）に示すように、多層防水シートの長手方向の裾部を棟木３１に対して押し下げた位置が、棟包３６からはみ出ることはない。これにより、棟包内の墨打ちをした所定位置に納まり、裾部が所定位置に届かない場合は、長手方向折返し重合せ部Ｌを横手方向に伸ばして屋根材３５に接着できる。そこで、従来の多層防水シートに長手方向折返し重合せ部Ｌが存在しない場合において、多層防水シートがはみ出た場合に必要とされていた開口部を有する棟支持材の折り曲げ作業が、本実施形態では当該開口部を有する棟支持材の折り曲げ作業をする必要がなくなる。
【００５８】
長手方向折返し重合せ部Ｌは、折返し多層防水シート部２０３を折り重ねた状態から横手方向に伸ばすことによって、棟木３１の高さが各種の建築物によって相違する場合にも、単一の開口部を有する棟支持材で対処できる範囲が広がる。また、長手方向折返し重合せ部Ｌは、建造物の屋根内部への浸水を防止する止面戸と同様の機能を発揮する水返し部としても使用できると共に、さらに粘着テープ２５の装着幅を広げることにも使用できる。さらに、換気シート４０の棟瓦側開口設置部４２も、多層防水シート２０の長手方向折返し重合せ部Ｌと同様の作用をする。棟瓦側開口設置部４２には棟瓦側開口部４２２が設けてあるが、換気シート４０の底部なので排水が容易であると共に、棟瓦側開口部４２２は防水シート開口部２８と比較して個別の開口部の形状を小さくすることで、雨水の浸入を困難にしている。
【００５９】
図７（ステップ１００）のように、多層防水シート長手方向の中央部を、棟木３１の上側面に長手方向に固定することで、作業者は両手を用いて、図５（ａ）に図示するように、多層防水シートの両裾部を屋根材３５に隙間なく貼り付けることができる。また、棟包３６部の外側に開口部を有する棟支持材の裾部が出ることがなく、意匠性も良好である。
【００６０】
続いて、本発明の開口部を有する棟支持材の第２の実施形態を説明する。
図９は、本発明の開口部を有する棟支持材の第２の実施形態を説明する構成図で、（ａ）は上面から見た平面図、（ｂ）は図９（ａ）のｂ−ｂ方向から見た横手方向断面図、（ｃ）は下面から見た底面図、（ｄ）は図９（ａ）ｄ−ｄ方向から見た側面図である。なお、図９において、前記図２と同一作用をするものには同一符号を付して説明を省略する。
図９の実施形態では、図２の実施形態と比較すると、横手方向折返し重合せ部（Ｔ）のみが設けられた多層防水シートを用いる点で共通しており、多層防水シートには長手方向折返し重合せ部（Ｌ）を省略してある点で相違する。
【００６１】
図１０は、本発明の第２の実施形態の開口部を有する棟支持材の施工状態を説明する要部拡大断面図で、（ａ）は屋根の棟部近傍における開口部を有する棟支持材の納まり状態を説明する要部断面図、（ｂ）は開口部を有する棟支持材の棟部近傍における作業態様を説明する要部断面図、（ｃ）は開口部を有する棟支持材の効用を説明する要部断面図である。なお、図１０において、前記図５と同一作用をするものには同一符号を付して説明を省略する。
【００６２】
このように構成された施工対象となる建造物の屋根の棟部近傍における、開口部を有する棟支持材の設置手順を次に説明する。図１１は、横手方向折返し重合せ部（Ｔ）が設けられた開口部を有する棟支持材の設置方法を説明する流れ図である。なお、図１１において、図７と同様のステップとなる箇所では、図７の対応するステップの説明を援用することとして、ここではその概略のみを説明する。
まず、図１０（ｂ）（ｉ）に示すように、開口部を有する棟支持材の長手方向の中央部を、棟木３１の上側面に屋根の棟方向と並行に設置する（ステップ２００）。次に、開口部を有する棟支持材を棟木３１にステープル等で仮止めする（ステップ２０２）。ステープル等を打つのは、多層防水シート２０における棟木との当接部となる中央部分とするのがよい。
【００６３】
次に、図１０（ｂ）（ｉｉ）・（ｉｉｉ）に示すように、開口部を有する棟支持材の横手方向の裾部を、棟木３１に接する棟木装着用折り目部２０６を起点として押し下げる（ステップ２０４）。この開口部を有する棟支持材の形状変更時に、多層防水シート２０の防水シート開口部２８と、換気シート４０の棟瓦側開口部４２２および中間開口部４４２とが換気できる状態に、換気シート４０の棟瓦側開口設置部４２と中間開口設置部４４が展開する（ステップ２０６）。
【００６４】
次に、多層防水シート２０を屋根材３５に取り付けるために、粘着テープ２５の剥離紙２６を剥がして、屋根材３５の山部３５２に対して、開口部を有する棟支持材を長手方向に接着する（ステップ２０８）。他方、屋根材３５の谷部３５４に対しては、当該谷部形状に沿うように、多層防水シートを長手方向に延伸させて接着する（ステップ２１０）。多層防水シートと屋根材３５の山部３５２や谷部３５４との接着には、粘着テープ２５を用いるのがよい。そして、開口部を有する棟支持材の裾部を屋根材３５に取り付ける（ステップ２１２）。屋根材３５として日本瓦のように一枚の瓦に山部３５２と谷部３５４が存在するものを用いると、隣接する瓦相互の設置において山部３５２と谷部３５４の端部を旨く位置合わせすることで、換気性能が充実していると共に、雨水に対する耐性の高い、強固に一体構造の屋根が構成できる（ステップ２１４）。このようにして、開口部を有する棟支持材の設置が完了する（ステップ２１６）。
【００６５】
本発明の開口部を有する棟支持材の設置方法によれば、多層防水シートが折り曲げ加工性と耐久性も併せ持つので、開口部を有する棟支持材を施工後、裾部の下面に装着されている粘着テープ２５の接着力とアルミ箔５３の形保性によって、屋根材３５への接着に大きく貢献する。例えば、仮に経年後に粘着テープ２５の粘着力の低下があった場合でも、アルミ箔５３の保形性によって、屋根材３５から剥離する危険性が減るので、これに伴い漏水の危険性も減るため、結果的に建造物の高耐久化に寄与するものである。
【００６６】
また、本発明の開口部を有する棟支持材によれば、棟木３１や棟木支持材３２に対して、次のような特徴がある。即ち、棟木支持材３２は、従来のように防錆加工された金属製の場合には剛性に乏しく、風や積雪などで揺れたり曲がってしまう課題があった。しかし、棟木支持材として、棟木接触部３２１、縦支持部３２２、逆Ｙ字形接触部３２３を有する樹脂製棟支持材３２を用いることで、堅牢性を確保して、長期間使用しても倒れることが防止できる。さらに、開口部を有する棟支持材は多層防水シートの引張強さも有しているため、仮に棟木３１や棟木支持材３２が倒れようとしても、多層防水シートの保形性や粘着テープ２５の粘着力によって姿勢が保持される。
【００６７】
以上、添付図面を参照して、この発明の実施形態を説明したが、この発明はかかる実施形態に限定されるものではなく、特許請求の範囲の記載から把握される技術的範囲において種々の形態に変更可能である。例えば、上記実施例においては、開口部を有する棟支持材の用途として屋根用防水シートを兼用する場合を例示しているが、本発明はこれに限定されるものではなく、雨水が建築物に浸入しやすい箇所における雨止めシール材として利用できる。
【符号の説明】
【００６８】
１０、２０  多層防水シート
２０１  上段多層防水シート部
２０２  上段折曲げ部
２０３  折返し多層防水シート部
２０４  下段折曲げ部
２０５  下段多層防水シート部
２０６  棟木装着用折り目部
Ｌ．長手方向折返し重合せ部（Length direction）
Ｔ．横手方向折返し重合せ部（Transverse direction）
２４  裾部（屋根材取付部）
２５  粘着テープ（屋根材取付部）
２７  換気シート貼付部
２８  防水シート開口部
２９  棟木当接防水シート部
３０  棟部
３０１  小屋裏開口部
３１  棟木
３２  棟木支持材
３５  屋根材（瓦）
３６  屋根材（棟包）
３９  野地板（下地板）
４０  換気シート
４１  換気シート本体部
４１２  棟木側当接部
４２  棟瓦側開口設置部
４２２  棟瓦側開口部（換気シート開口部）
４２４、４２６  換気シート折曲部
４３  多層防水シート取付部
４４  中間開口設置部
４４２  中間開口部（換気シート開口部）
４４４、４４６  換気シート折曲部
５０  多層防水シート
５１  焼付樹脂系塗料
５２  アルミ箔
５３  接着剤（ポリエステル系接着剤、ポリエーテル系接着剤）
５４  合成樹脂製フィルム（合成樹脂製シート）
【要約】
【課題】棟瓦や冠瓦を支える棟木支持具を堅固に固定できると共に、さらに換気機能が充実していて野地板の結露発生を防止できると共に、強風を伴う雨があっても屋根の内側への浸水防止対策が図れている開口部を有する棟支持材を提供すること。
【解決手段】多層防水シート２０の長手方向と直交する横手方向にわたって設けられた横手方向折返し重合せ部（Ｔ）と、多層防水シート２０の換気シート貼付部２７よりも棟木当接部側に形成された防水シート開口部２８とを有する多層防水シート２０と、多層防水シート２０の防水シート開口部２８と換気できる状態で、多層防水シート２０の長手方向に沿って両端部が取り付けられた換気シート４０であって、換気シート４０の多層防水シート取付部４３と棟木側当接部４１２との間に設けられた換気シート開口部４２２、４４２とを有する換気シート４０とを備える。
【選択図】図５【図１】
0005981061.tif 000003
【図２】
0005981061.tif 000004
【図３】
0005981061.tif 000005
【図４】
0005981061.tif 000006
【図５】
0005981061.tif 000007
【図６】
0005981061.tif 000008
【図７】
0005981061.tif 000009
【図８】
0005981061.tif 000010
【図９】
0005981061.tif 000011
【図１０】
0005981061.tif 000012
【図１１】
0005981061.tif 000013